(57)【要約】【課題】フードロックケーブルへのアクセスを防止しながら、車両に係る質量及びコストの増加を抑制することができる車両前部構造を提供する。【解決手段】車両前部構造１０は、車幅方向に延び、ラジエータ本体の上部を支持するアッパ部２０と、アッパ部２０の上部に取り付けられ、フードを閉状態にロックするラッチ構造２６と、ラッチ構造２６に連結し、ラッチ構造２６を操作するケーブル２８と、を備える。アッパ部２０の車両後面には、車両後方に向かって突出するとともに車幅方向に延びる少なくとも２つの凸部３４を設ける。ケーブル２８は、２つの凸部３４とアッパ部２０の車両後面とで形成される空間Ｓ内に配置される。【選択図】図４
2019107945.tif 000002
【特許請求の範囲】
【請求項１】
車幅方向に延び、ラジエータ本体の上部を支持するラジエータサポートアッパと、
前記ラジエータサポートアッパの上部に取り付けられ、フードを閉状態にロックするフード開閉構造と、
前記フード開閉構造に連結して前記フード開閉構造を操作するフードロックケーブルと、を備え、
前記ラジエータサポートアッパの車両後面に車両後方に向かって突出するとともに車幅方向に延びる少なくとも２つの凸部を設け、
前記フードロックケーブルが、２つの前記凸部と前記ラジエータサポートアッパの車両後面とで形成される空間内に配置される、
車両前部構造。
【請求項２】
前記空間内に配置された前記フードロックケーブルの車両後方への移動を規制するガイド部材を設けた、
請求項１に記載の車両前部構造。
【請求項３】
前記ラジエータサポートアッパ及び前記凸部がいずれも樹脂製であって、両者が一体成形されている、
請求項１又は２に記載の車両前部構造。
【発明の詳細な説明】
【技術分野】
【０００１】
本発明は、フードロックケーブル配索構造をラジエータサポートに設けた車両前部構造に関する。
【背景技術】
【０００２】
車両の前部構造において、例えば、フロントフードに設けたストライカと係合するラッチ構造等のフロントフードの開閉構造を、ラジエータ本体を支持するラジエータサポートの上部に設ける技術が知られている。この場合、フロントフードと車両本体との隙間や車両前方のグリル開口部から指又は道具を侵入させることにより、フード開閉構造を操作するフードロックケーブルへのアクセスが可能になると、フロントフードが開けられて車両を盗難されるおそれがある。
【０００３】
特許文献１には、ラジエータコアを支持するフロントエンドモジュール枠体と、フロントエンドモジュール枠体の上部に装着されるラッチ機構と、ラッチ機構に連結されるラッチケーブルと、ラッチ機構が外部から不正操作されることを防止すべく、ラッチ機構に隣接してフロントエンドモジュール枠体の上面から突出され、ラッチケーブルを車両前方側から覆う第１邪魔板部等の不正操作規制部と、を備える車両のフロントエンドモジュール構造が記載されている。
【先行技術文献】
【特許文献】
【０００４】
【特許文献１】特開２００７−１０６３２９号公報
【発明の概要】
【発明が解決しようとする課題】
【０００５】
特許文献１に記載されるフロントエンドモジュール構造では、フードロックケーブル（ラッチケーブル）へのアクセスを防止するプロテクタ部材を追加で設けている。このような部材の追加は、質量及びコスト増加の要因になると考えられる。
【０００６】
本発明は、フードロックケーブルへのアクセスを防止しながら、車両に係る質量及びコストの増加を抑制することができる車両前部構造を提供することを目的とする。
【課題を解決するための手段】
【０００７】
本発明に係る車両前部構造は、車幅方向に延び、ラジエータ本体の上部を支持するラジエータサポートアッパと、ラジエータサポートアッパの上部に取り付けられ、フードを閉状態にロックするフード開閉構造と、フード開閉構造に連結し、フード開閉構造を操作するフードロックケーブルと、を備え、ラジエータサポートアッパの車両後面に車両後方に向かって突出するとともに車幅方向に延びる少なくとも２つの凸部を設け、フードロックケーブルが２つの凸部とラジエータサポートアッパの車両後面とで形成される空間内に配置される。
【０００８】
好適な態様では、当該空間内に配置されたフードロックケーブルの車両後方への移動を規制するガイド部材を設けている。他の好適な態様では、ラジエータサポートアッパ及び凸部がいずれも樹脂製であって、両者が一体成形されている。
【発明の効果】
【０００９】
ラジエータサポートアッパの車両後面に設けられ、車両後方に向かって突出するとともに車幅方向に延びる２つの凸部と、ラジエータサポートアッパの車両後面とで形成される空間内に、フードロックケーブルが配置される。これにより、グリル開口部等の車両前部構造の前方側からのフードロックケーブルへのアクセスに対して、ラジエータサポートアッパを利用してこれを防止することができる。そのため、フードロックケーブルへのアクセスを防止するプロテクタ部材等を追加する必要が無くなり、部材の追加による車両の質量及びコストの増加を抑制することができる。
【図面の簡単な説明】
【００１０】
【図１】実施形態の一例に係る車両前部構造の概略構成を示す斜視図である。
【図２】実施形態の一例に係る車両前部構造の概略構成を示す正面図である。
【図３】フードロックケーブルの配索構造を示す概略断面図である。
【図４】図２のＡ−Ａ線における概略断面図である。
【図５】ケーブル２８を配索する配索作業の一例を示す図面である。
【図６】車両衝突時のフードロックケーブル及びその周囲の構造を示す図面である。
【発明を実施するための形態】
【００１１】
以下、本発明に係る実施形態につき、図面を参照しながら詳細に説明する。
【００１２】
図１は、本実施形態に係る車両前部構造の構成を示す斜視図である。図２は、本実施形態に係る車両前部構造の構成を示す正面図である。図３は、本実施形態に係るフードロックケーブルの配索構造を示す概略断面図である。図４は、図２のＡ−Ａ線における部分断面図であり、ラジエータサポートアッパにおけるフードロックケーブルの配置を示す。なお、各図面に示す矢印ＲＨの向きが車両の右方であり、矢印ＵＰの向きが車両の上方であり、矢印ＦＲの向きが車両の前方である。以下の説明において、特段の断りがない限り、前後左右上下などの向き及び方向を表す語句は、車両に関する向き及び方向を示す。
【００１３】
図１に示すように、車両前部構造１０の両サイドには、前後方向に沿って延在するフロントサイドメンバ１２が配設されている。フロントサイドメンバ１２は、略車幅方向及び略車両上下方向に沿った断面が略矩形状の車両骨格部材とされている。フロントサイドメンバ１２の前端部の前側には、補強板１４を介して衝撃吸収部材としてのクラッシュボックス１６が設けられている。クラッシュボックス１６は、略車両前後方向に配置された筒状部を備えており、衝突荷重の入力時に軸方向に圧縮変形することによって衝突エネルギーを吸収するようになっている。
【００１４】
車両前部構造１０の前方であって、クラッシュボックス１６の前端には、車幅方向に沿って延在し、左右一対のクラッシュボックス１６の前端部に架け渡されたバンパリインホースメント１８が配置されている。バンパリインホースメント１８は、金属製のバンパ骨格部材であり、車幅方向中央部が車幅方向両端部よりも車両前方側に突出するように湾曲した形状とされている。
【００１５】
車両前部構造１０には、ラジエータ本体（図示しない）を支持するラジエータサポートが設けられている。ラジエータサポートは、ラジエータ本体の上部を支持するラジエータサポートアッパ（以下「アッパ部」と称する）２０と、ラジエータ本体の下部を支持するラジエータサポートロア（以下「ロア部」と称する）３０とで構成されている。図１に示すように、アッパ部２０とロア部３０とは、分かれて（分離独立して）配置されており、直接連結していない。
【００１６】
ラジエータサポートのアッパ部２０は、車幅方向両側のフロントサイドメンバ１２の前端部と接合される補強板１４にそれぞれ固定される左右一対の側壁２２と、これらの側壁２２の上部を略車幅方向に沿って架け渡すアッパ部本体２４と、を備える。本実施形態では、アッパ部２０は樹脂製であり、左右一対の側壁２２及びアッパ部本体２４の両者は一体成形されている。側壁２２は、ボルト及びナットからなる締結具により補強板１４に固定される。なお、各図面においてボルト及びナットからなる締結具の記載を省略する。また、側壁２２の形状及びアッパ部本体２４の形状は、本実施形態の形状に限定されるものではなく、変更が可能である。
【００１７】
ラジエータサポートのロア部３０は、車幅方向両側のフロントサイドメンバ１２の前端部と接合される補強板１４にそれぞれ固定されており、車幅方向に沿って延在し、略矩形状であるロア部本体３２によってラジエータ本体を下方から支持する。ロア部３０は、鋼板等の金属板から形成されている。
【００１８】
アッパ部本体２４の上部の車幅方向中央には、図示しないフロントフードを閉じた状態でロックするフード開閉構造としてのラッチ構造２６が取り付けられている。ラッチ構造２６は、車両前部構造１０の上方を覆うように配設されたフロントフードの前縁部裏面に設けられた図示しないストライカを係脱可能に係止する。ラッチ構造２６の側面部には、ラッチ構造２６を車室側から解除操作するためのフードロックケーブル（以下単に「ケーブル」と称する）２８の一端が連結されている。また、ラッチ構造２６のロック状態を解除する操作レバー２７が車両前方側に突出するように固定されている。ラッチ構造２６の構造は周知のものであるため、詳細な説明を省略するが、ラッチ構造２６は、一度ストライカと係合してロック状態になると、ケーブル２８が引かれない限りそのロック状態が維持される。
【００１９】
図２及び図３に示す通り、アッパ部２０の右側部分には、車幅方向に延びるケーブル２８が配置されている。ケーブル２８の左端は、上述の通りラッチ構造２６の側面部に連結されている。他方、右側の側壁２２に設けた第１配索孔３６を貫通して、アッパ部２０から引き出されたケーブル２８は、右側のフロントサイドメンバ１２の上側に沿って延び、車室内に引き出され、その他端が車室内の連結される。このロック解除レバーを運転席から操作し、ケーブル２８を引っ張ることで、ラッチ構造２６のロック状態が解除される。  
【００２０】
アッパ部２０におけるケーブル２８の配索構造について、図２〜図４を参照しながら、詳しく説明する。アッパ部２０において、ケーブル２８は、側壁２２の第１配索孔３６を貫通してアッパ部本体２４の後面側に入り、車幅方向に沿って延びる配索構造を有する。アッパ部本体２４の後面には、図３及び図４に示すように、車両後方に向かって突出し、車幅方向に延びる２つの凸部３４が設けられている。本実施形態では、図３に示す通り、ケーブル２８がアッパ部本体２４の後面側に配索される範囲、即ち、第１配索孔３６から第２配索孔４０までの間の略全域において、ケーブル２８の上下を挟むように２つの凸部３４を設けている。これら凸部３４はいずれも樹脂製であり、アッパ部２０（側壁２２及びアッパ部本体２４）と一体成形されている。この２つの凸部３４とアッパ部本体２４の後面とによって、略矩形状の断面を有し車幅方向に延びる空間Ｓが形成され、ケーブル２８は、当該空間Ｓの内部に配置される。このようにケーブル２８をアッパ部本体２４の後面側に配置されることにより、車両前部構造１０の前方側、例えばグリル開口等からのケーブル２８へのアクセスが防止される。  
【００２１】
また、図３に示すように、アッパ部本体２４の後方の第１配索孔３６近傍には、上記空間Ｓの後方を覆う形状を有する第１ガイド部材３８が立設している。第１ガイド部材３８は、第１配索孔３６の近傍から車幅方向左側に向かってアッパ部本体２４の後面に沿って延びている。これにより、第１ガイド部材３８は、第１配索孔３６の近傍において、空間Ｓにおけるケーブル２８の後方側への移動を規制している。
【００２２】
２つの凸部３４とアッパ部本体２４の後面とによって形成された空間Ｓの左側（車幅方向中央側）は、アッパ部本体２４に設けた第２配索孔４０と接続している。第２配索孔４０は、図３に示す通りケーブル２８を迎え入れるように車幅方向に向かって開口している。また、第２配索孔４０の左側には、アッパ部本体２４の一部が後方側に凹んだ形状を有する第２ガイド部材４２が形成されている。これにより、ケーブル２８は、第２配索孔４０を通り、且つ、第２ガイド部材４２により後方側が規制されて、アッパ部本体２４の後面側の空間Ｓ内からアッパ部本体２４の前面側に引き出される。アッパ部本体２４の前面側にあるケーブル２８は、第２ガイド部材４２に沿ってアッパ部本体２４の車幅方向中央まで延び、その先端がラッチ構造２６の側面部と連結する。なお、第２ガイド部材もガイド部材を構成する。
【００２３】
本実施形態の車両前部構造１０では、図３に示すように、アッパ部２０の第２配索孔４０とラッチ構造２６との間に対応する範囲の前方に、ダクトアッパカバー５０が配置される。これにより、第２配索孔４０とラッチ構造２６との間においてアッパ部本体２４の前面側に配置されたケーブル２８に対して、グリル開口部等からのアクセスが防止されている。
【００２４】
ここで、本実施形態に係る車両前部構造１０においてケーブル２８を配索する配索作業の一例について、図５を参照しながら説明する。なお図５では説明のためアッパ部２０については断面のみを示す。アッパ部２０への配索を行うケーブル２８は、予め、その一端が車室内に設けられたロック解除レバーに連結され、右側のフロントサイドメンバ１２の上側に沿って引き出される。次いで、ケーブル２８の先端をアッパ部２０の右側の側壁２２に設けた第１配索孔３６に挿入する。このとき、第１配索孔３６からケーブル２８が押し込まれる（図５において白抜き矢印にて示す方向）と、押し込まれたケーブル２８の先端は、第１配索孔３６近傍に設けられた第１ガイド部材３８に衝突し、矢印方向に進行する。これにより、ケーブル２８の進路が、アッパ部本体２４の後面と２つの凸部３４により設けられた空間Ｓから後方に外れないように規制される。同様に、空間Ｓの前方側はアッパ部本体２４の後面によって、また、空間Ｓの上下方向は２つの凸部３４によって、ケーブル２８の進路が規制される。
【００２５】
更にケーブル２８を押し込むと、空間Ｓ内を進んだケーブル２８の先端は、空間Ｓの左端の第２配索孔４０に達する。そして、第２配索孔４０から先にケーブル２８が押し込まれる（図５において白抜き矢印にて示す方向）と、ケーブル２８の先端は第２ガイド部材４２に衝突し、アッパ部本体２４の前面側（矢印方向）に強制的に押し出される。続いて、ケーブル２８の先端がアッパ部本体２４の車幅方向中央に到達するまでケーブル２８を押し込み続ける。その後、ダクトアッパカバー５０が無い状態で、車両前部構造１０の前方側から、配索されたケーブル２８の先端をラッチ構造２６の側面部に連結する作業を行う。本実施形態に係る車両前部構造１０では、アッパ部２０の側面からケーブル２８を押し込むだけで、アクセスの困難なアッパ部２０後面側の所定の空間Ｓを通す配索作業を容易に行うことができる。そのため、例えば、動く組立ライン上で、素早く且つ作業者の習熟度に依存しないケーブル配索作業が可能となる。その後、ダクトアッパカバー５０が取り付けられる。  
【００２６】
次に本実施形態に係る車両前部構造１０の作用及び効果について説明する。
【００２７】
本実施形態では、アッパ部２０の後面に設けられ、車両後方に向かって突出し、車幅方向に延びる２つの凸部３４と、アッパ部２０の後面とで形成された空間Ｓ内に、ケーブル２８が配置される。これにより、グリル開口部等の車両前部構造１０の前方側からのケーブル２８へのアクセスが防止される。ケーブル２８へのアクセスを防止する構造としては、例えば、アッパ部２０の表面に配索されるケーブル２８に対してプロテクタ部材を追加で設けることが考えられるが、この場合、部材が追加されるため車両の質量及びコストが増加する。それに対して、本実施形態の車両前部構造１０では、アッパ部２０の後面と２つの凸部３４とで形成される空間内にケーブル２８を配置することにより、アッパ部２０を利用してケーブル２８へのアクセスを防止しながら、部材の追加による車両の質量及びコストの増加を抑制することができる。
【００２８】
また、ラッチ機構等のフード開閉構造は、上述の通り、運転席からロック解除レバーを操作してフロントロックケーブルを引っ張ることにより、ロック状態が解除される。しかしながら、ラジエータサポートの車両後面側にフロントロックケーブルを配置した場合、車両衝突時等の車両前方から衝撃が加わると、当該ラジエータサポートが後方に移動することがある。このとき、当該ラジエータサポートと後方に配置されたエンジンルーム内部品とによりフロントロックケーブルが挟まれる可能性が考えられる。フロントロックケーブルが挟まれると、フロントロックケーブルを引っ張る外力が作用してフード開閉構造のロック状態が解除され、フロントフードが開放されるおそれがある。
【００２９】
それに対して、本実施形態の車両前部構造１０では、ケーブル２８は、アッパ部２０の後面から突出した２つの凸部３４とアッパ部２０の後面とで形成された空間Ｓ内に配置される。図６は、本実施形態の車両前部構造１０について、車両衝突時において、アッパ部２０とエンジンルーム内部品５２とが接触したときの、ケーブル２８及びその周囲の構造を示す図面である。図６に示す通り、本実施形態の車両前部構造１０では、車両衝突時にアッパ部２０とエンジンルーム内部品５２とが接触した場合であっても、アッパ部２０の後面から後方に延びる２つの凸部３４を設けたことにより、ケーブル２８の周囲には空間Ｓによる生存スペースが確保される。そのため、ケーブル２８がアッパ部２０とエンジンルーム内部品５２とで挟まれることにより、ケーブル２８が引っ張られ、ラッチ構造２６のロック状態が解除されてフロントフードが開放されるという事態を、確実に防止することが可能になる。
【００３０】
さらに、本実施形態の車両前部構造１０では、ケーブル２８が配置される空間Ｓの上方が凸部３４を含むアッパ部２０で覆われるため、フロントフードを開状態にしても車両前部構造１０の上方からケーブル２８が視認されず、車両前部構造１０の上方からの見栄えが向上する。
【００３１】
車両前部構造１０の組み付けにおいて、本実施形態のように、ケーブル２８をアッパ部２０の側壁２２から一旦アッパ部本体２４の後面側を通した上でアッパ部本体２４の前面側に配索する場合、当該後面側が視認及びアクセスしづらいため、ケーブル２８を狙い通りに配索することは困難である。それに対して、本実施形態では、ケーブル２８は、アッパ部本体２４の後面から突出する２つの凸部３４と、第１配索孔３６の近傍において空間Ｓの後方を覆う第１ガイド部材３８と、第２配索孔４０の左側に形成された第２ガイド部材４２とを設けている。これにより、ケーブル２８の先端をアッパ部２０の側壁２２からアッパ部本体２４の後面側を通して前面側の車幅中央まで配索する配索作業において、ケーブル２８の上下方向の移動は２つの凸部３４によって規制され、ケーブル２８の後方への移動は第１ガイド部材３８と第２ガイド部材４２とによって規制される。そのため、本実施形態の車両前部構造１０では、アッパ部２０の側面からケーブル２８を押し込むだけでアッパ部２０後面側の所定の空間Ｓにケーブル２８を配索させることができる。このように、本実施形態の車両前部構造１０は、素早く且つ作業者の習熟度に依存しないケーブル配索作業を可能とするので、組立ライン上での組み付けに適した構造を有する。  
【００３２】
加えて、従来であれば、フードロックケーブルをラジエータサポートに沿わせて配置させる場合、フードロックケーブルの走行時の垂れ下がりや周辺部品への引っ掛かりを防止するため、フードロックケーブルを固定するクランプ等の固定用部品が必要であった。それに対して、本実施形態の車両前部構造１０では、ケーブル２８がアッパ部２０の形状を利用した空間Ｓ内に配置され、ケーブル２８の前後方向及び上下方向の移動が規制されている。これにより、ケーブル２８の走行時の垂れ下がりや周辺部品への引っ掛かりを防止しながら、固定用部品の追加による質量及びコストの増加を抑制することができる。
【００３３】
本実施形態では、アッパ部２０を構成する側壁２２及びアッパ部本体２４、並びに、アッパ部本体２４の後面から後方に向かって突出し、車幅方向に延びる２つの凸部３４はいずれも、樹脂製であり、一体成形されている。側壁２２、アッパ部本体２４及び凸部３４が、一体成形された樹脂製部材であることにより、質量削減をより一層図ることができる。
【００３４】
なお、上記で説明した構成は一例であり、本実施形態に係るアッパ部２０は、アッパ部２０の後面から後方に向かって突出し、車幅方向に延びる少なくとも２つの凸部３４を設け、ケーブル２８がこれら凸部３４とアッパ部２０の後面とで形成される空間Ｓ内に配置されるものであれば、その他の構成は、適宜変更されてもよい。上記の説明では、ラジエータサポートは、アッパ部２０とロア部３０とが分離した構造を有していたが、ラジエータ本体の左右に配置され、上下方向に延び、上端部がアッパ部と接合し、下端部がロア部と接合する左右一対のサイド部によって、四角形の枠状のラジエータサポートを構成してもよい。また、上記の説明では、アッパ部２０は樹脂製であるが、アッパ部２０が鋼板等の金属製部材で構成されていてもよい。加えて、上記の説明ではフード開閉構造としてラッチ構造２６を例示したが、フード開閉構造は、フロントフードを閉じた状態でロックし、車室側からのケーブル２８を用いた解除操作により当該ロック状態が解除可能な他のロック構造であってもよい。
【符号の説明】
【００３５】
１０  車両前部構造、１２  フロントサイドメンバ、１４  補強板、１６  クラッシュボックス、１８  バンパリインホースメント、２０  アッパ部（ラジエータサポートアッパ）、２２  側壁、２４  アッパ部本体、２６  ラッチ構造（フード開閉構造）、２７  操作レバー、２８  ケーブル（フードロックケーブル）、３０  ロア部（ラジエータサポートロア）、３２  ロア部本体、３４  凸部、３６  第１配索孔、３８  第１ガイド部材、４０  第２配索孔  ４２  第２ガイド部材、５０  ダクトアッパカバー、５２  エンジンルーム内部品。
【図１】
2019107945.tif 000003
【図２】
2019107945.tif 000004
【図３】
2019107945.tif 000005
【図４】
2019107945.tif 000006
【図５】
2019107945.tif 000007
【図６】
2019107945.tif 000008